(57)【要約】【課題】  ピックアップの上下方向への微小の移動を正確に行うことができるとともに、消費電力を抑制する。【解決手段】  ピックアップベース７は、光ピックアップ６を移動自在に保持する。ピックアップベース７の係合部７ａを、光ピックアップ６の移動方向に対して１０°傾斜して形成する。ピックアップベース７に、光ピックアップ６の移動方向に対して１０°傾斜したネジ部を形成する。保持ベース１０の内壁面に、保持ガイド部１０ａを形成する。保持ベース１０の取付部１０ｂにモータ１８を取り付けると、挿通孔にボールネジ１９が挿通される。ピックアップベース７を保持ベース１０に取り付けると、ネジ部とボールネジ１９とが噛合する。これにより、モータ１８の駆動に応じて、ピックアップベース７が、光ピックアップ６の移動方向に対して１０°傾斜した方向に移動する【選択図】        図５
2007087478.tif 000002
【特許請求の範囲】
【請求項１】
光ディスクにデータの記録及び／または再生を行う光ピックアップと、前記光ピックアップを前記光ディスクの径方向に移動自在に保持するピックアップベースと、を有するディスクプレーヤにおいて、
前記ピックアップベースを、前記光ディスクの上面視において前記光ピックアップ移動方向に移動自在で、且つ、前記光ディスクの側面視において前記光ピックアップ移動方向に対して傾斜した方向に移動自在に保持する保持部材と、
前記ピックアップベースを移動させる移動手段と、
前記移動手段の駆動を制御する制御手段と、を備えたことを特徴とするディスクプレーヤ。
【請求項２】
前記光ディスクの種類を判別する判別手段を備え、
前記制御手段は、前記判別手段の判別結果に応じて、前記移動手段の駆動を制御して前記ピックアップベースを移動させることを特徴とする請求項１記載のディスクプレーヤ。
【請求項３】
再生位置に位置する前記光ディスクの記録面の位置を検出する位置検出手段を備え、
前記制御手段は、前記位置検出手段の検出結果に応じて、前記移動手段の駆動を制御して前記ピックアップベースを移動させることを特徴とする請求項１または２記載のディスクプレーヤ。
【請求項４】
前記位置検出手段は、前記光ディスクの記録面の複数の位置を検出し、
前記制御手段は、前記位置検出手段の検出結果に応じて、前記移動手段の駆動を制御して前記ピックアップベースを移動させることを特徴とする請求項３記載のディスクプレーヤ。
【請求項５】
前記位置検出手段を、前記光ピックアップから構成したことを特徴とする請求項３または４記載のディスクプレーヤ。
【発明の詳細な説明】
【技術分野】
【０００１】
本発明は、ディスクに記録された情報の再生や記録を行うディスクプレーヤに関するものである。
【背景技術】
【０００２】
ＣＤプレーヤ、ＤＶＤプレーヤ等のディスクプレーヤには、ＣＤ、ＤＶＤなどの光ディスクが記憶媒体として用いられている。これらのディスクプレーヤは、ディスクトレイ上に装填された光ディスクを高速で回転させるディスク回転機構と、光ディスクの半径方向に移動しながら光ディスクにレーザ光を照射して情報を記録し、あるいは光ディスクから反射されたレーザ光を受光して情報の読み出しを行う光ピックアップとを備えている。光ピックアップは、光源からのレーザ光を対物レンズを通して光ディスクの情報記録面に照射し、また光ディスクからの反射光を前記対物レンズを通して受光する。
【０００３】
光ディスクには、ディスク底面から記録面までの長さが異なる様々な種類がある。ディスクプレーヤは、ディスク底面から記録面までの長さが異なると、それに応じて対物レンズと光ディスクの記録面との距離が異なることになる。対物レンズと光ディスクの記録面との距離が変化すると、光ピックアップは、情報の記録・読み出しを正常に行うことができないという問題があり、このため、光ディスクを再生している時に、光ピックアップの対物レンズをフォーカシング用コイル等の駆動手段により上下に移動させ、光ディスクの記録面と対物レンズとの距離を一定にするようにされている（例えば、特許文献１参照）。
【特許文献１】特開２００５−１８３００１号公報
【発明の開示】
【発明が解決しようとする課題】
【０００４】
しかしながら、特許文献１では、光ディスク再生時に対物レンズを上下に移動させた状態では、常にフォーカシング用コイル等の駆動手段を駆動させている必要があるため、消費電力が増加するという問題があった。
【０００５】
本発明は、上記課題を解決するためになされたものであり、光ピックアップの上下方向への微小の移動を正確に行うことができ、光ピックアップの上下の移動に係わる消費電力を抑制することができるディスクプレーヤを提供することを目的とする。
【課題を解決するための手段】
【０００６】
上記目的を達成するために、本発明のディスクプレーヤは、光ディスクにデータの記録及び／または再生を行う光ピックアップと、前記光ピックアップを前記光ディスクの径方向に移動自在に保持するピックアップベースと、を有するディスクプレーヤにおいて、前記ピックアップベースを、前記光ディスクの上面視において前記光ピックアップ移動方向に移動自在で、且つ、前記光ディスクの側面視において前記光ピックアップ移動方向に対して傾斜した方向に移動自在に保持する保持部材と、前記ピックアップベースを移動させる移動手段と、前記移動手段の駆動を制御する制御手段と、を備えたことを特徴とする。なお、前記光ディスクとしては、ＣＤ、ＤＶＤ、デュアルディスク、ＳＡＣＤ（ハイブリッド・ディスク）等が挙げられる。また、前記移動手段は、前記光ピックアップを移動させる移動部材、例えばモータ等を有することが好ましい。さらに、前記制御手段は、前記光ディスクを再生する前に前記光ピックアップを移動させることが好ましく、前記光ピックアップを移動させた後は移動手段を駆動しないことが好ましい。
【０００７】
また、前記光ディスクの種類を判別する判別手段を備え、前記制御手段は、前記判別手段の判別結果に応じて、前記移動手段の駆動を制御して前記ピックアップベースを移動させることが好ましい。
【０００８】
さらに、再生位置に位置する前記光ディスクの記録面の位置を検出する位置検出手段を備え、前記制御手段は、前記位置検出手段の検出結果に応じて、前記移動手段の駆動を制御して前記ピックアップベースを移動させることが好ましい。
【０００９】
また、前記位置検出手段は、前記光ディスクの記録面の複数の位置を検出し、前記制御手段は、前記位置検出手段の検出結果に応じて、前記移動手段の駆動を制御して前記ピックアップベースを移動させることが好ましい。さらに、前記位置検出手段を、前記光ピックアップから構成することが好ましい。
【発明の効果】
【００１０】
本発明のディスクプレーヤによれば、光ディスクにデータの記録及び／または再生を行う光ピックアップと、光ピックアップを光ディスクの径方向に移動自在に保持するピックアップベースと、ピックアップベースを、光ディスクの上面視において光ピックアップ移動方向に移動自在で、且つ、光ディスクの側面視において光ピックアップ移動方向に対して傾斜した方向に移動自在に保持する保持部材と、ピックアップベースを移動させる移動手段と、移動手段の駆動を制御する制御手段と、を備えたから、ピックアップベースを上下方向にのみ移動させるタイプのものに比べて、光ピックアップの上下方向への微小の移動を正確に行うことができる。さらに、光ピックアップを移動させた後は移動手段を駆動しないから、光ピックアップの移動に係わる消費電力の増加を抑制することができる。
【００１１】
また、光ディスクの種類を判別する判別手段を備え、制御手段は、判別手段の判別結果に応じて、移動手段の駆動を制御してピックアップベースを移動させるから、光ディスクの種類に応じた位置に光ピックアップを移動させることができる。
【００１２】
さらに、再生位置に位置する光ディスクの記録面の位置を検出する位置検出手段を備え、制御手段は、位置検出手段の検出結果に応じて、移動手段の駆動を制御してピックアップベースを移動させるから、光ディスクの記録面の位置に応じた位置に光ピックアップを移動させることができる。
【発明を実施するための最良の形態】
【００１３】
図１及び図２に本発明を用いたディスクプレーヤ２の外観を示す。ディスクプレーヤ２は、片面がＤＶＤ規格に準拠した面（ＤＶＤ面）、他方の面がデジタルオーディオデータを記録した音楽専用面（非ＤＶＤ面）からなるデュアルディスク３にアクセスして、デュアルディスク３に記録されたデータの再生を行うものである。本実施形態では、非ＤＶＤ面を簡略的に音楽ディスク面と称する。なお、ディスクプレーヤ２は、ＣＤやＤＶＤ等も再生可能である。
【００１４】
ディスクプレーヤ２の本体ケース４の内部には、ディスクトレイ５、光ピックアップ６、ピックアップベース７、ターンテーブル８、チャッキングコア９、保持ベース（保持部材）１０、回路基板等を含むプレーヤユニット１１が組み込まれている。なお、光ピックアップ６、ピックアップベース７、ターンテーブル８、チャッキングコア９、保持ベース１０は、図１及び図２では図示を省略し、図３〜図５で図示している。また、図１は、ディスクトレイ５が、デュアルディスク３再生時に本体ケース４内部に収納される再生位置に位置する状態を示し、図２は、ディスクトレイ５が、本体ケース４外部に露出される露出位置に位置する状態を示している。
【００１５】
本体ケース４の前面には、ＬＣＤ１３、ディスクトレイ５開閉用の開閉スイッチ１４が設けられている。また、ＬＣＤ１３の周辺には、再生スイッチや停止スイッチ等の各種スイッチが設けられており、これら開閉スイッチ１４を含む複数のスイッチは、ディスクプレーヤ２の主制御を行う制御部３０（図３参照）に接続されている。
【００１６】
ディスクトレイ５は、デュアルディスク３再生時に本体ケース４内部に収納される再生位置（図１参照）と、本体ケース４外部に露出される露出位置（図２参照）との間で移動可能に設けられており、モータ等を含むトレイ移動機構（図示せず）により移動される。ディスクトレイ５を移動させるときには、開閉スイッチ１４を操作する。
【００１７】
ディスクトレイ５は、デュアルディスク３が装填されるものであり、デュアルディスク３の外径に対応した窪みが形成されている。ディスクトレイ５の窪みに合わせてデュアルディスク３を装填した状態で、ディスクトレイ５を再生位置まで移動させると、チャッキングコア９（図３参照）がデュアルディスク３のチャック孔３ａに係合してデュアルディスク３を保持する。
【００１８】
図３に示すように、プレーヤユニット１１は、光ピックアップ６、ピックアップベース７、ターンテーブル８（図５参照）、チャッキングコア９、保持ベース１０を備えて構成されている。チャッキングコア９は、プレーヤユニット１１の取付部材（図示せず）に、回動可能で且つ上下方向に移動可能に取り付けられている。
【００１９】
図３及び図４に示すように、光ピックアップ６は、発光素子から照射されたレーザ光をデュアルディスク３の記録面に集光する対物レンズ１６が組み込まれており、ピックアップベース７に移動自在に保持されている。ピックアップベース７は、光ピックアップ６を移動自在に保持するものであり、枠状に形成されている。ピックアップベース７には、光ピックアップ６の軸受部６ａに挿通されて光ピックアップ６を移動自在に保持する保持シャフト１７が２本取り付けられている。光ピックアップ６は、公知のユニット移動機構により、デュアルディスク３の径方向である保持シャフト１７の軸方向（図３〜図５におけるＡ方向及びＢ方向）に移動される。
【００２０】
ピックアップベース７の図４における右側面には、断面が略コ字状の係合部７ａが形成されている。係合部７ａは、光ピックアップ６の移動方向に対して鋭角に傾斜して（図４におけるＣ方向及びＤ方向）形成されている。本実施形態では、係合部７ａの傾斜角度を１０°として説明する。なお、係合部７ａを、ピックアップベース７の左側面にも形成するようにしてもよい。
【００２１】
ピックアップベース７の図４における後面には、光ピックアップ６の移動方向に対して１０°傾斜した挿通孔が形成され、この挿通孔には、モータ１８のモータシャフトに取り付けられたボールネジ１９に噛合するネジ部７ｂが形成されている。これにより、モータ１８が駆動してモータシャフトが回動すると、ボールネジ１９、ネジ部７ｂを介して、ピックアップベース７が、光ピックアップ６の移動方向（図３〜図５におけるＡ方向及びＢ方向）に対して１０°傾斜した方向（図３〜図５におけるＣ方向及びＤ方向）に移動する。モータ１８の駆動が停止すると、モータシャフトはモータ１８内部のコイルの抵抗により回動不能となる。これにより、ボールネジ１９は回動することがないため、ピックアップベース７も移動不能に保持された状態となる。モータ１８は、制御部３０に接続されている。本実施形態では、ピックアップベース７を移動させる移動手段は、ネジ部７ｂ、モータ１８、ボールネジ１９から構成されている。
【００２２】
図５に示すように、ピックアップベース７内部には、内センサ２１、中央センサ２２、外センサ２３が取り付けられている。これらセンサ（位置検出手段）２１〜２３は、発光部と受光部とを備えた光センサであり、内センサ２１はデュアルディスク３の内周部に向けて、中央センサ２２はデュアルディスク３の略中央部に向けて、外センサ２３はデュアルディスク３の外周部に向けて光を照射するように取り付けられている。これらセンサ２１〜２３は、制御部３０に接続されている。各センサ２１〜２３は、発光部から光を照射し、デュアルディスク３のＤＶＤ面、ＤＶＤ記録面、音楽ディスク記録面、音楽ディスク面のそれぞれで反射した反射光を受光部で受光し、受光した反射光の反射光データ（反射光の光量や、照射されてから入射されるまでの経過時間等）を制御部３０に出力する。制御部３０は、入力された反射光データに基づき、デュアルディスク３の種類を判別するとともに、デュアルディスク３の３箇所（内周部、中央部、外周部）の記録面の高さ方向の位置を検出する。このため、制御部３０にはメモリが設けられ、このメモリには、入力される反射光データに対応付けられたデュアルディスク３の種類データ及びデュアルディスク３の記録面の位置データが格納されている。本実施形態では、デュアルディスク３の種類を判別する判別手段は、内センサ２１、中央センサ２２、外センサ２３、制御部３０から構成されている。
【００２３】
なお、デュアルディスク３での光の反射についてさらに詳しく説明すると、例えば、ＤＶＤ面を下側に向けた場合には、デュアルディスク３に向けて照射された光は、一部がディスク下側表面であるＤＶＤ面で反射し、残りがＤＶＤ面を通過する。ＤＶＤ面を通過した光は、一部がＤＶＤ記録面で反射し、残りがＤＶＤ記録面を通過する。ＤＶＤ記録面を通過した光は、一部が音楽ディスク記録面で反射し、残りが音楽ディスク記録面を通過する。音楽ディスク記録面を通過した光は、一部がディスク上側表面である音楽ディスク面で反射し、残りが音楽ディスク面を通過する。すなわち、各センサ２１〜２３には、ＤＶＤ面、ＤＶＤ記録面、音楽ディスク記録面、音楽ディスク面のそれぞれで反射した４種類の反射光が入射される。制御部３０は、各センサ２１〜２３から入力される４種類の反射光データに基づき、デュアルディスク３の種類を判別するとともに、デュアルディスク３の最内周部の記録面の高さ方向の位置を検出する。
【００２４】
ターンテーブル８は、デュアルディスク３再生時にデュアルディスク３に当接した状態で回転するものであり、側縁側が中心部よりも下方に位置するようなすり鉢状に形成されている。ターンテーブル８は、デュアルディスク３に当接する当接位置（図５（Ｂ）参照）と退避する退避位置（図５（Ａ）参照）との間で移動自在に設けられており、プレーヤユニット１１の取付部材（図示せず）に回動可能に取り付けられている。デュアルディスク３が装填されたディスクトレイ５が露出位置から再生位置に移動するときには、ターンテーブル８は退避位置に位置し、ディスクトレイ５が再生位置まで移動されると、ターンテーブル８は当接位置まで移動される。そして、デュアルディスク３再生時には、ターンテーブル８は、ディスクモータ（図示せず）により駆動され、デュアルディスク３に当接した状態で回動する。すなわち、デュアルディスク３は、ターンテーブル８により、再生時に、側縁側が中心部よりも下方に位置するようなすり鉢状にされるとともに、上下方向の位置決めが行われる。なお、図５（Ａ）は、ピックアップベース７が最も下方に位置するとき、図５（Ｂ）は、ピックアップベース７が最も上方に位置するときの側面断面図である。
【００２５】
チャッキングコア９は、上下方向に移動可能に設けられており、デュアルディスク３のチャック孔３ａに係合する係合位置（図５（Ｂ）参照）と、退避する退避位置（図５（Ａ）参照）との間で移動する。デュアルディスク３が装填されたディスクトレイ５が、露出位置から再生位置に移動するときには、チャッキングコア９は退避位置に位置し、ディスクトレイ５が再生位置まで移動されると、チャッキングコア９は係合位置まで移動され、デュアルディスク３のチャック孔３ａに係合する。デュアルディスク３は、チャッキングコア９によってターンテーブル８に押圧され、ターンテーブル８とチャッキングコア９との間に挟持される。
【００２６】
図３〜図６に示すように、保持ベース１０は、ピックアップベース７を移動自在に保持するものであり、枠状に形成されている。保持ベース１０の内壁面には、ピックアップベース７の係合部７ａに係合してピックアップベース７を移動自在に保持する保持ガイド部１０ａが形成されている。保持ベース１０は、上面がピックアップベース７の上面に略平行になるようにピックアップベース７を保持する。なお、図３及び図４は前面側からの斜視図、図５は右側面断面図、図６は上面図である。
【００２７】
保持ガイド部１０ａは、デュアルディスク３の上面視（すなわち、図６の紙面上）において光ピックアップ６の移動方向に平行で（図６参照）、且つ、デュアルディスク３の側面視（すなわち、図５の紙面上）ディスク表面に垂直な面において光ピックアップ６の移動方向に対して１０°傾斜して（図３〜図５におけるＣ方向及びＤ方向）形成されている。これにより、図５に示すように、ピックアップベース７は、デュアルディスク３の側面視（すなわち、図５の紙面上）においては、光ピックアップ６の移動方向（図３〜図５におけるＡ方向及びＢ方向）に対して１０°傾斜した方向に移動可能となり、さらに、図６に示すように、ピックアップベース７は、デュアルディスク３の上面視（すなわち、図６の紙面上）においては、光ピックアップ６の移動方向に平行な方向に移動可能となる。このため、ピックアップベース７を移動させた場合にも、常に対物レンズ１６の移動軌跡の延長上にターンテーブル８の回転中心軸が位置するようになっている。本実施形態では、ピックアップベース７は、前後方向（図３〜図５におけるＡ方向及びＢ方向）に８．５１ｍｍの範囲で移動可能にされており、これに伴い、ピックアップベース７は、上下方向に１．５ｍｍの範囲で移動可能となる。
【００２８】
保持ベース１０の後面（図５における右側面）には、モータ１８を取り付けるための板状の取付部１０ｂが形成されている。保持ベース１０の後面には、モータ１８のモータシャフトに取り付けられたボールネジ１９を挿通するための挿通孔１０ｃが形成されている。挿通孔１０ｃは、光ピックアップ６の移動方向（図３〜図５におけるＡ方向及びＢ方向）に対して１０°傾斜して形成されており、モータ１８をビス等により取付部１０ｂに取り付けると、挿通孔１０ｃにボールネジ１９が挿通される。
【００２９】
ピックアップベース７を移動自在に保持ベース１０に取り付けるときには、ピックアップベース７の係合部７ａの凹部に保持ベース１０の保持ガイド部１０ａが挿入されるとともに、ピックアップベース７のネジ部７ｂがボールネジ１９に噛合するように取り付ける。
【００３０】
図７に示すように、デュアルディスク３は、片面がＤＶＤ面、他方の面が音楽ディスク面からなり、ＤＶＤ面は、記録面までの距離が０．６ｍｍ、音楽ディスク面は、記録面までの距離が１．２ｍｍとされている。上記したように、デュアルディスク３の上下方向の位置決めは、ターンテーブル８により行われ、ターンテーブル８と保持ベース１０との距離は一定となっている。このため、デュアルディスク３のＤＶＤ再生時と、デュアルディスク３の音楽ディスク再生時とでは、保持ベース１０の上面から記録面までの距離が異なることとなる。すなわち、光ピックアップ６が上下方向に移動不能の場合には、ＤＶＤと音楽ディスクとの両方をエラーなく再生させることは困難となる。
【００３１】
図５に示すように、デュアルディスク３が装填されたディスクトレイ５が、露出位置（図２参照）から再生位置（図１参照）まで移動すると、図示しないトレイ位置検出センサは、制御部３０に再生位置信号を出力する。制御部３０は、再生位置信号が入力されたことに応答して、各センサ２１〜２３を駆動する。各センサ２１〜２３は、発光部から光を照射し、デュアルディスク３のＤＶＤ面、ＤＶＤ記録面、音楽ディスク記録面、音楽ディスク面のそれぞれで反射した反射光を受光部で受光し、受光した反射光の反射光データを制御部３０に出力する。制御部３０は、入力された反射光データに基づき、デュアルディスク３の種類を判別するとともに、デュアルディスク３の３箇所（内周部、中央部、外周部）の記録面の高さ方向の位置を検出する。
【００３２】
制御部３０は、判別したデュアルディスク３の種類と、検出したデュアルディスク３の３箇所（内周部、中央部、外周部）の記録面の高さ方向の位置とに基づき対物レンズ１６からデュアルディスク３の記録面までの距離が規定値（例えば、９．５ｍｍ）になるように、モータ１８の駆動を制御して、ボールネジ１９、ネジ部７ｂを介して、ピックアップベース７を、光ピックアップ６の移動方向に対して１０°傾斜した方向（図３〜図５におけるＣ方向及びＤ方向）に移動させる。例えば、デュアルディスク３のＤＶＤを再生している状態から、デュアルディスク３を反転させて、音楽ディスクを再生するときには、デュアルディスク３の記録面までの距離が０．６ｍｍ長くなる。この場合、制御部３０は、モータ１８の駆動を制御して、ピックアップベース７を０．６ｍｍ上方に移動させる。本実施形態では、ピックアップベース７は、光ピックアップ６の移動方向（図３〜図５におけるＡ方向及びＢ方向）に対して１０°傾斜した方向（図３〜図５におけるＣ方向及びＤ方向）に移動するから、ピックアップベース７を０．６ｍｍ上方に移動させる場合には、ピックアップベース７を図３〜図５におけるＤ方向に３．４ｍｍ移動させる。そして、制御部３０は、ピックアップベース７を０．６ｍｍ上方に移動させた後は、モータ１８の駆動を停止する。
【００３３】
開閉スイッチ１４が操作されると、ターンテーブル８とチャッキングコア９とは、それぞれ退避位置（図５（Ａ）参照）に移動し、ディスクトレイ５は、再生位置から露出位置まで移動する。この状態では、トレイ位置検出センサから制御部３０への再生位置信号の出力が停止し、これに応じて、制御部３０は、デュアルディスク３の種類の判別結果、及びデュアルディスク３の記録面の位置検出結果をリセットする。すなわち、次にデュアルディスク３が装填されたディスクトレイ５が、露出位置から再生位置まで移動すると、再度、上記したように、デュアルディスク３の種類を判別するとともに、デュアルディスク３の３箇所（内周部、中央部、外周部）の記録面の高さ方向の位置を検出し、これらの結果に応じて、ピックアップベース７を移動させる。
【００３４】
上記のように構成されたディスクプレーヤ２の作用について説明する。ユーザが、デュアルディスク３をディスクトレイ５に装填して、開閉スイッチ１４を操作してディスクトレイ５を露出位置（図２参照）から再生位置（図１参照）まで移動させると、制御部３０は、各センサ２１〜２３から入力される反射光データに基づき、デュアルディスク３の種類を判別するとともに、デュアルディスク３の記録面の３箇所（内周部、中央部、外周部）の高さ方向の位置を検出する。
【００３５】
制御部３０は、判別結果及び検出結果に基づき、対物レンズ１６からデュアルディスク３の記録面までの距離が９．５ｍｍになるように、モータ１８の駆動を制御して、ボールネジ１９、ネジ部７ｂを介して、ピックアップベース７を、光ピックアップ６の移動方向に対して１０°傾斜した方向（図３〜図５におけるＣ方向及びＤ方向）に移動させる。そして、制御部３０は、ピックアップベース７を移動させた後は、モータ１８の駆動を停止する。
【００３６】
このように、制御部３０は、ピックアップベース７を、光ピックアップ６の移動方向に対して１０°傾斜した方向（図３〜図５におけるＣ方向及びＤ方向）に移動させるから、ピックアップベース７を上下方向（光ピックアップ６の移動方向に垂直な方向）にのみ移動させるタイプのものに比べて、光ピックアップ６の上下方向への微小の移動を正確に行うことができる。
【００３７】
また、ピックアップベース７を移動させた後には、モータ１８の駆動が停止し、モータ１８に係わる電力消費がないから、デュアルディスク３再生時に常に光ピックアップ６を移動させてデュアルディスク３の記録面までの距離を一定にするタイプのものに比べて、消費電力を低減させることができる。
【００３８】
さらに、制御部３０は、デュアルディスク３の種類の判別結果と、デュアルディスク３の記録面の３箇所（内周部、中央部、外周部）の高さ方向の検出位置とに基づき、これら３箇所における対物レンズ１６からデュアルディスク３の記録面までの距離の平均が９．５ｍｍになるように、ピックアップベース７を移動させるから、対物レンズ１６からデュアルディスク３の記録面までの距離を、より一層一定にすることができる。
【００３９】
なお、上記実施形態では、モータ１８の駆動により、ピックアップベース７を移動させたが、これに限定されることなく、例えば、ソレノイド等により移動させるようにしてもよい。
【００４０】
また、上記実施形態では、ボールネジ１９とピックアップベース７に形成されたネジ部７ｂとの噛合により、ピックアップベース７を移動させたが、これに限定されることなく、例えば、モータ１８のモータシャフトにモータギアを取り付け、ピックアップベース７に直線状のベースギアを形成し、モータギアとベースギアとの噛合により、ピックアップベース７を移動させるようにしてもよい。
【００４１】
さらに、上記実施形態では、内センサ２１、中央センサ２２、外センサ２３を設け、これらセンサ２１〜２３により、デュアルディスク３の記録面の３箇所（内周部、中央部、外周部）の高さ方向の位置を検出するようにしたが、これに限定されることなく、デュアルディスク３の記録面の複数の位置を検出することができればよく、センサの個数は適宜変更可能である。例えば、１個のセンサで、デュアルディスク３の記録面の複数の位置を検出するようにしてもよい。
【００４２】
また、上記実施形態では、ピックアップベース７を、光ピックアップ６の移動方向に対して１０°傾斜した方向（図３〜図５におけるＣ方向及びＤ方向）に移動させるようにしたが、傾斜角度は１０°に限定されることなく、適宜変更可能である。
【００４３】
さらに、上記実施形態では、ディスクプレーヤ２を例示して説明したが、本発明はこれに限定されることなく、例えばＣＤプレーヤ、ＤＶＤプレーヤ、ＤＶＤレコーダ等にも適用することができる。
【００４４】
図８に他の実施形態を示す。上記実施形態のものと同様の構成部材には同一の符号を付し、その詳細な説明を簡略化する。この実施形態では、デュアルディスク３の記録面の３箇所（内周部、中央部、外周部）の高さ方向の位置を検出する位置検出手段を、上記実施形態の内センサ２１、中央センサ２２及び外センサ２３に代えて、光ピックアップ６から構成する。図８（Ａ）に示すように、制御部３０は、光ピックアップ６と、光ピックアップ６を図８中Ａ方向及びＢ方向に移動させるピックアップ移動機構（図示せず）と、に接続されている。
【００４５】
図８（Ｂ）に示すように、ディスクトレイ５を露出位置（図２参照）から再生位置（図１参照）まで移動させると、制御部３０は、上記したピックアップ移動機構の駆動を制御し、ピックアップ移動機構により、光ピックアップ６をデュアルディスク３の最内周部に対向する位置まで移動させた後、光ピックアップ６の駆動を制御して、光ピックアップ６にファーカス動作を実行させる。
【００４６】
光ピックアップ６のフォーカス動作では、光ピックアップ６から光が照射される。光ピックアップ６から照射された光は、デュアルディスク３のＤＶＤ面、ＤＶＤ記録面、音楽ディスク記録面、音楽ディスク面それぞれで反射し、反射光として光ピックアップ６に入射される。光ピックアップ６は、入射された反射光の反射光データ（反射光の数、光量、照射されてから入射されるまでの経過時間等）を制御部３０に出力する。制御部３０は、入力された反射光データに基づき、デュアルディスク３の種類を判別するとともに、デュアルディスク３の最内周部の記録面の高さ方向の位置を検出する。
【００４７】
制御部３０は、判別結果及び検出結果に基づき、対物レンズ１６からデュアルディスク３の記録面までの距離が９．５ｍｍになるように、モータ１８の駆動を制御して、ボールネジ１９、ネジ部７ｂを介して、ピックアップベース７を、光ピックアップ６の移動方向に対して１０°傾斜した方向（図８中Ｃ方向及びＤ方向）に移動させる。そして、制御部３０は、ピックアップベース７を移動させた後は、モータ１８の駆動を停止する。具体的には、ファーカス動作を行いながら、光ピックアップ６に入射した反射光から生成されるフォーカスエラー信号と、フォーカシング用コイルにかかる電圧とを監視するとともに、ピックアップベース７を図８中Ｃ方向及びＤ方向に移動させる。そして、フォーカスエラー信号がゼロとなり、且つ、フォーカシング用コイルにかかる電圧が最小となる位置にピックアップベース７を停止させる。
【００４８】
このように、光ピックアップ６により、デュアルディスク３の種類を判別するとともに、デュアルディスク３の最内周部の記録面の高さ方向の位置を検出するから、上記した判別及び検出を行うための部材（例えば、光センサ等）を別に設ける必要がなく、コストアップを防ぐことができる。
【００４９】
なお、上記実施形態では、光ピックアップ６でデュアルディスク３の最内周部の記録面の高さ方向の位置を検出し、この検出結果に基づいて、ピックアップベース７を移動させるようにしたが、光ピックアップ６で検出するデュアルディスク３の記録面の高さ方向の位置及び個数は、適宜変更可能であり、例えば、デュアルディスク３の最内周部、中央部、最外周部の３箇所の高さ方向の位置を検出し、この検出結果に基づいて、ピックアップベース７を移動する（対物レンズ１６から３箇所の平均高さまでの距離を９．５ｍｍにする）ようにしてもよい。
【図面の簡単な説明】
【００５０】
【図１】本発明を実施したディスクプレーヤの外観斜視図である。
【図２】ディスクトレイが露出した状態のディスクプレーヤの外観斜視図である。
【図３】光ピックアップとピックアップベースと保持ベースとチャッキングコアとモータとを示す斜視図である。
【図４】光ピックアップとピックアップベースと保持ベースとチャッキングコアとモータとを示す分解斜視図である。
【図５】デュアルディスクと光ピックアップとピックアップベースとターンテーブルと保持ベースとチャッキングコアとモータとを示す側面断面図である。
【図６】光ピックアップとピックアップベースと保持ベースとチャッキングコアとモータとを示す上面図である。
【図７】デュアルディスクを示す側面図である。
【図８】光ピックアップでデュアルディスクの高さ方向の位置を検出する実施形態のデュアルディスクと光ピックアップとピックアップベースとターンテーブルと保持ベースとチャッキングコアとモータとを示す側面断面図である。
【符号の説明】
【００５１】
２  ディスクプレーヤ
３  デュアルディスク（光ディスク）
６  光ピックアップ
７  ピックアップベース
７ａ  係合部
７ｂ  ネジ部
１０  保持ベース（保持部材）
１０ａ  保持ガイド部
１６  対物レンズ
１８  モータ
１９  ボールネジ
２１〜２３  センサ（位置検出手段）
３０  制御部（制御手段）
【図１】
2007087478.tif 000003
【図２】
2007087478.tif 000004
【図３】
2007087478.tif 000005
【図４】
2007087478.tif 000006
【図５】
2007087478.tif 000007
【図６】
2007087478.tif 000008
【図７】
2007087478.tif 000009
【図８】
2007087478.tif 000010